(57)【要約】【課題】パルプ溶液の移送時に固形分の古紙パルプを液相分とともに円滑に送り出すことができ、パルプ溶液を移送する際に単位時間当たりの移送量に含まれる古紙パルプ量の変動を抑制することができるパルプ懸濁液供給装置およびパルプ懸濁液移送方法を提供する。【解決手段】パルプ懸濁液を貯溜し、取出し口からパルプ懸濁液を槽外へ取り出す貯溜部９０１と、貯溜部９０１に希釈用水を供給する給水部９１１と、各部を制御する制御部７００を備え、制御部７００は、貯溜部９０１内のパルプ懸濁液が規定残量に減少した時に、給水部９１１から希釈用水を貯溜部内に供給する。【選択図】図２
2017125289.tif 000002
【特許請求の範囲】
【請求項１】
パルプ懸濁液を貯溜し、取出し口からパルプ懸濁液を槽外へ取り出す貯溜部と、貯溜部に希釈用水を供給する給水部と、各部を制御する制御部を備え、
制御部は、貯溜部内のパルプ懸濁液が規定残量に減少した時に、給水部から希釈用水を貯溜部内に供給することを特徴とするパルプ懸濁液供給装置。
【請求項２】
制御部は、パルプ懸濁液の規定残量に対して所定量の希釈用水を供給してパルプ懸濁液を所定濃度に制御することを特徴とする請求項１に記載のパルプ懸濁液供給装置。
【請求項３】
貯溜部の取出し口に接続するパルプ懸濁液の移送部を備え、
制御部は、移送部によりパルプ懸濁液を貯溜部の槽外へ移送し、パルプ懸濁液の希釈後のパルプ濃度が低くなるほどに希釈後の移送量を増加させることを特徴とする請求項１または２に記載のパルプ懸濁液供給装置。
【請求項４】
貯溜部内のパルプ懸濁液の液位を検出する液位センサを備え、
制御部は、パルプ懸濁液が規定残量に減少したことを液位センサが検出する液位に基づいて認知することを特徴とする請求項１から３の何れか１項に記載のパルプ懸濁液供給装置。
【請求項５】
移送部はチューブポンプを有することを特徴とする請求項３また４に記載のパルプ懸濁液供給装置。
【請求項６】
貯溜部は槽内に撹拌装置を有することを特徴とする請求項１から５の何れか１項に記載のパルプ懸濁液供給装置。
【請求項７】
貯溜部に貯溜するパルプ懸濁液を槽外へ移送する際に、貯溜部内のパルプ懸濁液が規定残量に減少した時に、希釈用水を貯溜部内に供給することを特徴とするパルプ懸濁液の移送方法。
【請求項８】
パルプ懸濁液の希釈後のパルプ濃度が低くなるほどに希釈後の移送量を増加させることを特徴とする請求項７に記載のパルプ懸濁液の移送方法。
【発明の詳細な説明】
【技術分野】
【０００１】
本発明は、古紙パルプを含むパルプ懸濁液を移送する技術に係り、古紙の発生場所であるオフィス等に設置して紙を再生することができる古紙再生処理装置等に適用するものである。
【背景技術】
【０００２】
従来、古紙再生処理装置には、例えば古紙投入部、パルパー部、脱墨部、抄紙部、乾燥部や運転を制御する制御部を設けている。古紙投入部は、再生原料の古紙をパルパー部に供給するものであり、パルパー部は、古紙を離解して古紙パルプを含むパルプ懸濁液を製造するものであり、脱墨部は、パルプ懸濁液を脱墨して脱墨パルプを調製するものである。抄紙部は、脱墨されたパルプ懸濁液から湿紙を抄紙するものであり、乾燥部は、脱水された湿紙を乾燥するものである。
【０００３】
パルパー部は、撹拌槽と撹拌槽内に配した撹拌羽根と撹拌羽根を回転駆動する駆動部を有しており、撹拌羽根の回転により撹拌槽の離解用水中で古紙を撹拌して離解処理し、製造したパルプ懸濁液を次工程に移送する。
【０００４】
また、特許文献１には、移送手段で移送された原料スラリーの質量流量及び密度をコリオリ式質量流量計で逐次計測し、計測した質量流量及び密度に基づいて、移送手段による原料スラリーの移送量を逐次制御し、抄造工程に供給する原料スラリー中の固形成分の濃度を略一定に調整する技術が記載されている。
【０００５】
また、特許文献２には、攪拌槽内における古紙原料及び給水部からの水を含む液体の水位を、攪拌羽根によって攪拌が行われている状態で、攪拌羽根を浸漬可能な高さとして攪拌を行い、攪拌処理中に攪拌羽根の回転数が上昇するときに、給水部より給水を行って、攪拌羽根を攪拌槽内の液体に浸漬させる技術が記載されている。
【先行技術文献】
【特許文献】
【０００６】
【特許文献１】特許第４２１９３１６
【特許文献２】特許第５４９９２６３
【発明の概要】
【発明が解決しようとする課題】
【０００７】
パルパー部の攪拌槽からパルプ懸濁液を取出す際に、槽底部や内壁面に古紙パルプが残存する。このため、特許文献２では、撹拌槽からパルプ懸濁液を取出した直後に、給水部から所定量の水を給水する。これにより、空になった撹拌槽の内壁面に付着し残存している古紙パルプがある場合に、この古紙パルプを洗い流し、撹拌槽内に古紙パルプを残存させないようにすることができる。
【０００８】
しかし、撹拌槽から取り出すパルプ懸濁液の通常の移送時におけるパルプ懸濁液濃度と、洗浄後のパルプ懸濁液濃度とが大きく異なるものとなり、その変動幅が大きくなる。洗浄前に撹拌槽に残留する古紙パルプ量は不明であるので、洗浄水によって希釈した後のパルプ懸濁液の濃度は不明である。
【０００９】
このため、次工程の脱墨前希釈部においてパルプ懸濁液の濃度を調整し、撹拌槽において生じるパルプ懸濁液の濃度の変動を吸収することが必要であった。
【００１０】
また、パルパー部の撹拌槽においてパルプ懸濁液の残量が少なくなり、例えば液面上に撹拌羽根が露出する状態となると、パルプ懸濁液の撹拌を十分に行うことができず、固形分の古紙パルプを液相分とともに送り出すことに支障が生じ、パルプ懸濁液の移送量中に含まれる古紙パルプ量が変動してパルプ懸濁液濃度が不安定となり、再生紙の品質が低下する要因となる。
【００１１】
本発明は上記課題を解決するものであり、パルプ懸濁液の移送時に固形分の古紙パルプを液相分とともに円滑に送り出すことができ、パルプ懸濁液を移送する際に単位時間当たりの移送量に含まれる古紙パルプ量の変動を抑制することができるパルプ懸濁液供給装置およびパルプ懸濁液移送方法を提供することを目的とする。
【課題を解決するための手段】
【００１２】
上記課題を解決するために、本発明のパルプ懸濁液供給装置は、パルプ懸濁液を貯溜し、取出し口からパルプ懸濁液を槽外へ取り出す貯溜部と、貯溜部に希釈用水を供給する給水部と、各部を制御する制御部を備え、制御部は、貯溜部内のパルプ懸濁液が規定残量に減少した時に、給水部から希釈用水を貯溜部内に供給することを特徴とする。
【００１３】
本発明のパルプ懸濁液供給装置において、制御部は、パルプ懸濁液の規定残量に対して所定量の希釈用水を供給してパルプ懸濁液を所定濃度に制御することを特徴とする。
【００１４】
本発明のパルプ懸濁液供給装置において、貯溜部の取出し口に接続するパルプ懸濁液の移送部を備え、制御部は、移送部によりパルプ懸濁液を貯溜部の槽外へ移送し、パルプ懸濁液の希釈後のパルプ濃度が低くなるほどに希釈後の移送量を増加させることを特徴とする。
【００１５】
本発明のパルプ懸濁液供給装置において、貯溜部内のパルプ懸濁液の液位を検出する液位センサを備え、制御部は、パルプ懸濁液が規定残量に減少したことを液位センサが検出する液位に基づいて認知することを特徴とする。
【００１６】
本発明のパルプ懸濁液供給装置において、移送部はチューブポンプを有することを特徴とする。
【００１７】
本発明のパルプ懸濁液供給装置において、貯溜部は、槽内に撹拌装置を有することを特徴とする。
【００１８】
パルプ懸濁液移送方法は、貯溜部に貯溜するパルプ懸濁液を槽外へ移送する際に、貯溜部内のパルプ懸濁液が規定残量に減少した時に、希釈用水を貯溜部内に供給することを特徴とする。
【００１９】
パルプ懸濁液移送方法は、パルプ懸濁液の希釈後のパルプ濃度が低くなるほどに希釈後の移送量を増加させることを特徴とする。
【発明の効果】
【００２０】
以上のように本発明によれば、貯溜部内のパルプ懸濁液が規定残量に減少した時に、給水部から希釈用水を貯溜部内に供給することで、パルプ懸濁液の減少による古紙パルプの流動性の低下を抑制して、パルプ懸濁液の移送時に固形分の古紙パルプを液相分とともに円滑に送り出すことができる。
【００２１】
また、貯溜部内に所定量のパルプ懸濁液を貯溜する状態においてパルプ懸濁液濃度および古紙パルプ量が判明している場合には、移送量を計量することで、貯溜部内のパルプ懸濁液が規定残量にまで減少する時を計算によって求めることが可能であり、パルプ懸濁液の規定残量に対して所定量の希釈用水を供給してパルプ懸濁液を所定濃度に制御することができる。
【００２２】
さらに、パルプ懸濁液を貯溜部の槽外へ移送する際に、パルプ懸濁液の希釈後のパルプ濃度が低くなるほどに希釈後の移送量を増加させることで、単位時間当たりの移送量に含まれる古紙パルプ量の変動を抑制することができ、結果として貯蔵タンクを設けずとも後工程で抄紙して得られる再生紙の厚さを所定範囲内に維持でき、再生紙の品質の安定化を図ることができる。
【図面の簡単な説明】
【００２３】
【図１】本発明の実施の形態における古紙再生処理装置を示すブロック図
【図２】同古紙再生処理装置のパルパー部を示す断面図
【図３】同パルパー部の運転操作のタイミングチャート
【図４】同抄紙部の構成を示す模式図
【発明を実施するための形態】
【００２４】
以下、本発明の実施の形態を図面に基づいて説明する。図１に示すように、古紙再生処理装置は、古紙再生処理系を構成する複数の処理部を有しており、処理部には古紙投入部１、パルパー部９、脱墨部１１、抄紙部１３、乾燥部１４、仕上部１５、白水タンク部１００、脱墨廃液処理装置１０１がある。また、古紙再生処理装置は各処理部の運転を制御する制御部７００を備えている。
【００２５】
本実施の形態において、古紙投入部１は、再生原料の古紙をパルパー部９に投入するものであり、パルパー部９は、古紙を離解用水中で離解させて古紙パルプを含むパルプ懸濁液を製造する。パルパー部９の詳細は後述する。
【００２６】
脱墨部１１は、脱墨槽５０１においてパルプ懸濁液を脱墨処理し、パルプ懸濁液中の繊維、インク等の固形分を含んだ脱墨廃液を分離除去し、脱墨したパルプ懸濁液を抄紙部１３に送るとともに、脱墨廃液を取出し口から脱墨排水系１０２を通して脱墨廃液処理装置１０１に供給する。
【００２７】
図４に示すように、抄紙部１３は、脱墨されたパルプ懸濁液から湿紙１２を抄紙するものであり、複数のローラ４１に巻回されたメッシュ状のベルトからなる抄紙ワイヤー４２と、脱墨されたパルプ懸濁液を抄紙ワイヤー４２上に注ぐヘッドボックス４３を有している。
【００２８】
抄紙ワイヤー４２の無端軌道は、ヘッドボックス４３から後述する乾燥ローラ４９に至るまでの往路部と、乾燥ローラ４９の一部を覆う転移部と、乾燥ローラ４９からヘッドボックス４３に戻る復路部からなる。
【００２９】
抄紙ワイヤー４２の往路部には、抄紙ワイヤー４２の下部側でヘッドボックス４３の近くに、抄紙ワイヤー４２の下面に摺接して抄紙ワイヤー４２の下面から滴る水を払う水切り部４４と、抄紙ワイヤー４２を介して湿紙１２から水分を吸引する吸引装置４５を設けている。
【００３０】
さらに吸引装置４５の下流側には、複数の絞りローラ４１ａ、４１ｂが抄紙ワイヤー４２を挟んで位置しており、絞りローラ４１ａ、４１ｂによって双方のローラ間を通過する抄紙ワイヤー４２上の湿紙１２を絞る。ヘッドボックス４３から抄紙ワイヤー４２に供給された直後の湿紙１２の含水率を１００重量％とすると、絞りローラ４１ａ、４１ｂを通過した湿紙１２は、含水率が６０−６５重量％である。
【００３１】
乾燥部１４は、脱水された湿紙１２を乾燥する乾燥ローラ４９を備えており、乾燥ローラ４９は加熱装置を内蔵している。乾燥ローラ４９の一部は複数のローラ５０に巻回したカンバスベルト５１が無端軌道の一部で乾燥ローラ４９を覆っており、乾燥部１４においてカンバスベルト５１と乾燥ローラ４９の外周面との間に湿紙１２を挟み、乾燥ローラ４９で湿紙１２を乾燥させる。抄紙ワイヤー４２の転移部とカンバスベルト５１との間には、乾燥ローラ４９に湿紙１２を押圧するカレンダローラ５０ａを設けている。
【００３２】
カンバスベルト５１の往路終端位置でスクレーパ１１１が乾燥した乾紙６１を乾燥ローラ４９から剥離させて仕上部１５に案内する。
【００３３】
仕上部１５は、湿紙１２を乾燥して得られる乾紙６１に対して仕上工程を行い、得られた再生紙６２を紙受部６３に排出するものであり、乾紙６１を所定のサイズに切断する金属製のカッター装置６０およびスリッター装置１１２が設けられている。
【００３４】
白水タンク部１００は、抄紙排水系１０４を通して抄紙部１３から流入する古紙パルプを含む排水である白水を貯留するものであり、白水を白水返送系１０５、１０６を通して古紙再生処理系の各所へ返送する。パルパー部９に連通する白水返送系１０６は、パルパー部９の撹拌槽９０１に離解用水および希釈用水として白水を供給する。
【００３５】
給水源、ここでは上水配管１０７から用水を供給する給水配管１０８が白水タンク部１００に接続しており、給水配管１０８に電磁弁からなる緊急停止用の元弁装置１０９を設けている。
【００３６】
脱墨廃液処理装置１０１は、脱墨部１１から脱墨排水系１０２を通して供給する脱墨廃液を処理するもので、古紙パルプの繊維、インク、トナー等の固形成分と液相成分とを分離する。
【００３７】
図２に示すように、古紙投入部１は、パルパー部９の撹拌槽９０１の上方に位置し、再生原料の古紙を枚葉紙のままで直接にパルパー部９に投入するものである。古紙投入部１は、枚葉紙を立った姿勢に保持する姿勢保持部２０３を有し、姿勢保持部２０３が上部開口と下部開口を有する上下開放の四角形の枠体からなり、投入口をなす下部開口が撹拌槽９０１の上部開口に対向している。姿勢保持部２０３の底部をなすスライド底板２０６は、姿勢保持部２０３の下部開口を覆っており、スライド底板２０６は下部開口を開閉するスライド方向に移動可能である。
【００３８】
ユーザーに対する安全性を確保するために、姿勢保持部２０３の上部開口を覆ってカバー部３０１を設けており、カバー部３０１は透明の扉体３０２を備えている。
【００３９】
本実施の形態ではパルパー部９の撹拌槽９０１を貯溜部として説明するが、本発明は別途に設ける貯蔵タンクや脱墨槽５０１を貯溜部とする場合にも適用可能である。パルパー部９は、貯溜部をなす撹拌槽９０１の内部に撹拌装置として撹拌羽根９０２と撹拌羽根９０２を回転駆動する回転軸９０３を有している。回転軸９０３は下端を槽底部に枢着し、撹拌槽９０１の上方に配置した上下二つの軸受９０４、９０５で回転自在に支持され、上下の軸受９０４、９０５の間にプーリー９０６を有し、プーリー９０６がベルト９０７を介してモータ（図示省略）で駆動されることで、回転軸９０３および撹拌羽根９０２が回転する。
【００４０】
撹拌槽９０１は槽底部に取出し口９０８を有し、取出し口９０８に移送部９０９が接続している。移送部９０９は撹拌槽９０１で離解処理したパルプ懸濁液を脱墨部１１に移送する移送経路をなし、移送ポンプとしてチューブポンプ９１０を有している。移送ポンプとしてはチューブポンプ９１０に限らず、スネークポンプ、モーノポンプ、スクリューポンプ等を使用することができるが、チューブポンプ９１０を用いることでパルプ懸濁液の移送量を正確に把握することができ、別途に流量計を設置する必要がなく、コストの低減に貢献できる。
【００４１】
撹拌槽９０１の開口に臨んで設けた給水部９１１は希釈用水を撹拌槽９０１に供給するものであり、給水部９１１に白水返送系１０６が接続している。また、移送部９０９にはチューブポンプ９１０の下流位置に第２給水部として白水返送系１０５が接続している。
【００４２】
撹拌槽９０１の内部には、パルプ懸濁液の液位を検出する液位センサとして、槽内に貯溜可能な上限液位に対応する上限液位検出センサ９１２と、槽内の撹拌羽根９０２の位置に対応する下限液位検出センサ９１３と、パルプ懸濁液の所定量を貯溜した際の規定残量液位に対応する規定残量液位検出センサ９１４を設けている。
【００４３】
以下、上記した構成の作用を説明する。制御部７００は、古紙投入部１とパルパー部９と脱墨部１１と抄紙部１３と乾燥部１４と仕上部１５と白水タンク部１００と脱墨廃液処理装置１０１とを制御し、各処理部において古紙再生処理系の運転を行う。
【００４４】
古紙投入部１のスライド底板２０６を全閉位置に配置し、この状態でカバー部３０１の扉体３０２を開放し、姿勢保持部２０３の枠体内に枚葉紙の束を搭載する。スライド底板２０６をスライド方向の開方向に移動させ、姿勢保持部２０３の下部開口を開放する。枚葉紙はスライド底板２０６が開くに伴って立った姿勢のままに下部開口からパルパー部９の撹拌槽９０１に順次に投下される。
【００４５】
撹拌槽９０１は、給水部９１１から供給する所定量の白水を離解用水として貯溜しており、撹拌羽根９０２を回転させて古紙投入部１から投入された古紙を離解用水中で離解処理し、パルプ懸濁液を製造する。そして、投入した古紙量に対して不足する希釈水を給水部９１１から供給し、パルプ懸濁液を所定濃度に調整する。
【００４６】
次に、撹拌羽根９０２を回転させてパルプ懸濁液を撹拌しつつ、移送部９０９のチューブポンプ９１０を駆動して撹拌槽９０１の取出し口９０８からパルプ懸濁液を取出し、脱墨部１１に移送する。図３に示すように、制御部７００は、槽内の液位が規定残量液位に達したことを規定残量液位センサ９１４が検出することで、槽内のパルプ懸濁液が規定残量にまで減少したことを認知し、給水部９１１から希釈用水を撹拌槽９０１に供給する。例えば規定残量液位を、槽内に５０Ｌのパルプ懸濁液が残る液位とし、規定残量液位センサ９１４が規定残量液位を検出したときに、給水部９１１から５Ｌの希釈用水を供給する。この間、チューブポンプ９１０によるパルプ懸濁液の移送を継続し、撹拌槽９０１の液位が規定残量液位に達したときに再び５Ｌの希釈用水を供給し、この動作を繰り返す。
【００４７】
そして、上記動作を繰り返した後、以下の動作を行う。
（１）槽内の古紙パルプ濃度が４重量％から１重量％まで下がると、給水部９１１からの希釈用水の供給を停止する。
（２）その後、攪拌槽９０１内の液位が下降して、下限液位検出センサ９１３が下限液位、すなわち槽内の攪拌羽根９０２の位置に達したことを検出したときには、この状態ではパルパー部９から脱墨部１１に供給するパルプ懸濁液の濃度が不安定となる可能性があるので、抄紙部１３の抄紙動作を一旦停止する。
【００４８】
又、チューブポンプ９１０によるパルプ懸濁液の移送を停止すると共に、自吸式の供給ポンプ（図示省略）による白水返送系１０５から移送部９０９への白水の供給も停止する（移送部９０９内でのミキシングも停止する）。尚、下限液位検出センサ９１３が下限液位を検出した際の槽内のパルプ懸濁液の残量は１９Ｌである。
（３）次に、給水部９１１から１９Ｌの希釈用水を供給することにより、攪拌槽９０１において古紙パルプ濃度を０．５重量％（抄紙濃度）に調整する。
（４）そして、チューブポンプ９１０によるパルプ懸濁液の脱墨部１１への供給を再開する。また、抄紙部１３の抄紙動作も再開する。尚、自吸式の供給ポンプ（図示省略）による白水返送系１０５から移送部９０９への白水の供給は停止したままとする。また、攪拌羽根９０２は、（１）〜（４）の間、連続回転してパルプ懸濁液の攪拌を継続する。
【００４９】
上述の（１）から（４）の動作を行うことで次の効果を得る。
【００５０】
すなわち、攪拌槽９０１内の液位が下降して、下限液位検出センサ９１３が槽内の攪拌羽根９０２の位置に対応する下限液位を検出すると、攪拌羽根９０２が露出する状態となる。このため、パルプ懸濁液の攪拌を十分に行うことができずに、パルプ懸濁液の濃度が不安定な状態、すなわち固形分の古紙パルプと液相分が十分に混ざらない状態となる。
【００５１】
しかし、上述した（１）から（４）の一連の動作を行うことにより、下限液位以下にあるパルプ懸濁液も“廃棄”することなく通常通り“使い切る”ことができる。
【００５２】
このようにして、給水においてパルプ懸濁液の規定残量に対して所定量の希釈用水を供給してパルプ懸濁液を所定濃度に制御する。制御部７００は、パルプ懸濁液の希釈後のパルプ濃度が低くなるほどにチューブポンプ９１０による希釈後の移送量を増加させる。図３に示すように、この移送量の増加は、希釈用水の供給開始から所定のタイムラグの後に行う。この操作により、チューブポンプ９１０の上流側近傍の配管内に残存する希釈前の濃度を有するパルプ懸濁液を希釈前の移送量で移送できる。
【００５３】
このように、希釈の前後において単位時間当たりの移送を制御することで、単位時間当たりの移送量に含まれる古紙パルプ量の変動を抑制することができ、脱墨部１１および抄紙部１３に送る古紙パルプ量を安定させることができ、結果として再生紙の品質の安定化を図ることができる。
【００５４】
例えば、１回目の希釈前の古紙パルプ濃度を４重量％とし、チューブポンプ９１０による移送量を１．６Ｌ／分として、５Ｌずつの希釈用水の供給を繰り返して段階的に濃度を低下させ、これに伴い図３に示すように段階的にチューブポンプ９１０の移送量を増加させて最終的に古紙パルプ濃度を２重量％まで低下させる。この２重量％濃度のときにチューブポンプ９１０による移送量を３．２Ｌ／分として、４重量％濃度のときの２倍の移送量とする。
【００５５】
撹拌羽根９０２の回転数は、古紙パルプ濃度に応じて調整する。４重量％濃度のときの回転数を１００ｒｐｍとすると、２重量％濃度のときの回転数は５０ｒｐｍとする。撹拌羽根９０２の回転数は１回目の希釈前で５ｒｐｍ〜５００ｒｐｍの範囲内、好ましくは１０ｒｐｍ〜２５０ｒｐｍの範囲で任意の値に設定でき、希釈後は２．５ｒｐｍから２５０ｒｐｍの範囲内、好ましくは５ｒｐｍから１２５ｒｐｍの範囲内で任意の値に設定できる。
【００５６】
１回目の希釈前の古紙パルプ濃度は、０．３重量％から１５重量％の範囲内、好ましくは０．５重量％から１０重量％の範囲内で任意の値に設定できる。希釈後の古紙パルプ濃度は、０．１５重量％から１０重量％の範囲内、好ましくは０．３重量％から５重量％の範囲内で任意の値に設定できる。
【００５７】
１回目の希釈前のチューブポンプ９１０による移送量は、０．３Ｌ／分から９６Ｌ／分の範囲内、好ましくは０．６Ｌ／分から４８Ｌ／分の範囲内で任意の値に設定できる。希釈後のチューブポンプ９１０による移送量は、０．６Ｌ／分から１９２Ｌ／分の範囲内、好ましくは１．２Ｌ／分から９６Ｌ／分の範囲内で任意の値に設定できる。この移送量は容積単位に代えて重量単位を採用し、０．６ｋｇ／分から１９２ｋｇ／分の範囲内、好ましくは１．２ｋｇ／分から９６ｋｇ／分の範囲内で任意の値に設定できる。
【００５８】
希釈後の移送量の調整は必ずしも必要ではなく、撹拌槽９０１の槽内のパルプ懸濁液が規定残量に減少した時に、給水部９１１から希釈用水を撹拌槽９０１に供給するだけで、パルプ懸濁液の減少による古紙パルプの流動性の低下を抑制して、パルプ懸濁液の移送時に固形分の古紙パルプを液相分とともに円滑に送り出すことができる。
【００５９】
本実施の形態では規定残量液位センサ９１４が１つの液位を検出するものであるが、液位センサとして撹拌槽９０１の槽内の液位を連続的に検出できるものを採用することも可能である。この場合に、１回目の希釈のタイミングとして検出する規定残留液位と、２回目以降の希釈のタイミングとして検出する規定残留液位とを等しくすることも、異なるものとすることも可能であり、希釈のタイミングとなる規定残留液位を徐々に低くすることで、撹拌槽９０１の内壁面をきれいに洗浄できる。
【００６０】
１回目の希釈において供給する希釈用水の供給量と、２回目以降の希釈において供給する希釈用水の供給量とを等しくすることも、異なるものとすることも可能であり、希釈用水の供給量を徐々に少なくすることで、毎回同量の希釈用水を供給する場合に比べて、古紙パルプ濃度の変動幅を低減することができる。毎回の希釈において行う希釈用水の供給は一定量ずつを間欠的に供給してもよく、一定量を連続的に供給してもよく、異なる量を間欠的に供給してもよく、各回において異なる量を連続的に供給してもよい。
【００６１】
また、チューブポンプ９１０を撹拌槽９０１の槽内の液位より低い位置に配置する場合には、チューブポンプ９１０による移送量を、撹拌槽９０１の槽内液位に応じて調整することも可能である。例えば、撹拌槽９０１の槽内液位が高いときの移送量に比べて槽内液位が低いときの移送量を多くすることで、槽内液位に影響を受けることなく、あるいは槽内液位に対するチューブポンプ９１０の設置位置に関わらず、適正にパルプ懸濁液を移送できる。
【００６２】
撹拌槽９０１におけるパルプ懸濁液の規定残量は、撹拌槽９０１の容量に応じて設定し、２Ｌから３０００Ｌの範囲内、好ましくは５Ｌから１５００Ｌの範囲内で任意の量に設定できる。また、給水部９１１から供給する希釈用水の供給量も、撹拌槽９０１の容量に応じて設定し、０．１Ｌから２４０００Ｌの範囲内、好ましくは０．３Ｌから１２０００Ｌの範囲内で任意の量に設定できる。
【００６３】
脱墨部１１および抄紙部１３に送るパルプ懸濁液量の変動幅の抑制は、チューブポンプ９１０の下流位置に第２給水部として白水返送系１０５から移送部９０９に白水を供給することでも行える。移送部９０９にチューブポンプ９１０による供給量と第２給水部の白水返送系１０５から供給する白水の供給量とを合わせて流し、例えば第２給水部の白水返送系１０５から５Ｌ／分から１５Ｌ／分の範囲内の希釈用水を供給し、古紙パルプ濃度を０．５重量％に調整するとともに、移送部９０９内でミキシングを行う。この状態で、チューブポンプ９１０による供給量が減少したときには、白水返送系１０５から供給する白水の供給量を増加させ、チューブポンプ９１０による供給量が例えば１．６Ｌ／分から３．２Ｌ／分に増加したしたときは、白水返送系１０５から供給する白水の供給量を１１．２Ｌ／分から９．６Ｌ／分に減少させることで、脱墨部１１および抄紙部１３に送るパルプ懸濁液量を一定に保つことができる。また、仮に、チューブポンプ９１０による供給量が例えば１．６Ｌ／分から３．２Ｌ／分に増加した時に、第２給水部の白水返送系１０５から供給する白水の供給量を１１．２Ｌ／分のまま維持する場合であっても、脱墨部１１および抄紙部１３に送られるパルプ懸濁液量は、１２．８Ｌ／分から１４．４Ｌ／分に増加する程度である。よって、パルプ懸濁液量の変化量は比較的少なくてすむ。そして、この場合にも脱墨部１１および抄紙部１３に送る古紙パルプの量は一定に保たれており、増加しているのは白水の量だけである。この増加した白水は抄紙ワイヤー４２によって濾過される。これにより、得られる再生紙の品質を安定化することができる。
【００６４】
第２給水部の白水返送系１０５から供給する希釈用水の希釈量は、２．５Ｌ／分から４８０Ｌ／分の範囲内、好ましくは５Ｌ／分から２４０Ｌ／分の範囲内で任意の値に設定できる。第２給水部の白水返送系１０５は必ずしも必要ではなく、第２給水部を設けない場合には、撹拌槽９０１での希釈により、脱墨部１１および抄紙部１３において必要とされる古紙パルプ濃度に調整することで、抄紙により得られる再生紙の品質を維持できる。
【００６５】
本実施の形態では、槽内のパルプ懸濁液の残量を規定残量液位センサ９１４に基づいて検知しているが、規定残量液位センサ９１４を用いずに液位を認知することも可能である。撹拌槽９０１では離解処理により製造するパルプ懸濁液を所定濃度に調整するために、給水量を制御しており、初期状態における撹拌槽９０１の槽内に存在するパルプ懸濁液量は判明している。例えば上限液位検出センサ９１２で液位が検出される満水レベルまでパルプ懸濁液を貯溜する状態におけるパルプ懸濁液濃度および古紙パルプ量は判明している。一方、チューブポンプ９１０による単位時間当たりの移送量はポンプの回転数の制御により調整でき、既知の値である。このため、チューブポンプ９１０の稼働時間から流出量を求め、初期状態のパルプ懸濁液量から流出量を減算することにより、撹拌槽９０１におけるパルプ懸濁液が規定残量にまで減少する時を、チューブポンプ９１０の稼働時間に基づいて推量することができ、規定残量におけるパルプ懸濁液濃度および古紙パルプ量を計算によって求めることができる。
【００６６】
よって、貯溜部をなす撹拌槽９０１に所定量のパルプ懸濁液を貯溜する状態においてパルプ懸濁液濃度および古紙パルプ量が判明している場合には、移送量を計量することで、撹拌槽９０１のパルプ懸濁液が規定残量にまで減少する時を計算によって求めることが可能であり、パルプ懸濁液の規定残量に対して所定量の希釈用水を供給してパルプ懸濁液を所定濃度に制御することができる。
【００６７】
撹拌槽９０１とチューブポンプ９１０の位置関係はチューブポンプ９１０の移送量に影響する。このため、制御装置７００は、チューブポンプ９１０が撹拌槽９０１より低い位置にあって、撹拌槽９０１の内部の液面からチューブポンプ９１０に至る水頭がチューブポンプ９１０に作用する場合のポンプの回転数に比べて、チューブポンプ９１０が撹拌槽９０１より高い位置にあって撹拌槽９０１の内部のパルプ懸濁液を吸い上げる場合のポンプの回転数を増加させる。この結果、撹拌槽９０１とチューブポンプ９１０の位置関係にかかわらず、適正にパルプ懸濁液をチューブポンプ９１０で移送することができる。
【符号の説明】
【００６８】
１    古紙投入部
９    パルパー部
１１    脱墨部
１２    湿紙
１３    抄紙部
１４    乾燥部
１５    仕上部
４１    ローラ
４１ａ、４１ｂ  絞りローラ
４２    抄紙ワイヤー
４３    ヘッドボックス
４４    水切り部
４５    吸引装置
４９    乾燥ローラ
５０    ローラ
５０ａ  カレンダローラ
５１    カンバスベルト
６０    カッター装置
６１    乾紙
６２    再生紙
６３    紙受部
１００    白水タンク部
１０１    脱墨廃液処理装置
１０２    脱墨排水系
１０４    抄紙排水系
１０５、１０６  白水返送系
１０７    上水配管
１０８    給水配管
１０９    元弁装置
１１１    スクレーパ
１１２    スリッター装置
２０３    姿勢保持部
２０６    スライド底板
３０１    カバー部
３０２    扉体
５０１    脱墨槽
７００    制御部
９０１    撹拌槽
９０２    撹拌羽根
９０３    回転軸
９０４、９０５  軸受
９０６    プーリー
９０７    ベルト
９０８    取出し口
９０９    移送部
９１０    チューブポンプ
９１１    給水部
９１２    上限液位検出センサ
９１３    下限液位検出センサ
９１４    規定残量液位検出センサ
【図１】
2017125289.tif 000003
【図２】
2017125289.tif 000004
【図３】
2017125289.tif 000005
【図４】
2017125289.tif 000006